(57)【特許請求の範囲】
【請求項１】
シリンダヘッドとシリンダとピストンとで囲まれて形成された燃焼室の中心を通る一方向の縦断面において該燃焼室の上壁面縦断面形状が略三角形状をなし、前記燃焼室上壁面の頂部に点火栓を配置するとともに、前記燃焼室上壁面における前記点火栓を間に挟んだ一方側に２つの吸気用開口部が設けられ、且つ他方側に２つの排気用開口部が設けられた内燃機関の燃焼室構造において、
前記ピストン頂面の周縁部の全周に、前記燃焼室上壁面の周縁部との間にスキッシュエリアを形成する突出部が設けられ、
前記燃焼室上壁面の周縁部と前記突出部との互いに対向する面が略平行に且つ前記燃焼室上壁面の頂部に向かって斜めに形成され、
前記燃焼室上壁面の周縁部が前記燃焼室上壁面の中央部と略平坦に連なるよう形成され、
前記突出部において前記吸気用開口部と対向する部位の内周面から外周面にかけて前記スキッシュエリアからの気流の衝突によって乱れが誘起される切り欠き部が設けられたことを特徴とする内燃機関の燃焼室構造。
【請求項２】
前記吸気用開口部には、吸気弁が開閉自在に設けられ、前記切り欠き部は、前記吸気弁が前記燃焼室内に突出したときに前記吸気弁と前記ピストンの接触を回避するバルブリセスを兼ねることを特徴とする請求項１記載の内燃機関の燃焼室構造。
【請求項３】
燃焼室内に旋回流を発生させるスワール発生手段を更に備え、前記切り欠き部は、前記スワール発生手段によって発生させられた旋回流を受け入れる方向に形成された溝からなることを特徴とする請求項１記載の内燃機関の燃焼室構造。
【請求項４】
前記切り欠き部は、前記吸気用開口部と対向する部位から前記ピストンの外周面に至るように形成されることを特徴とする請求項１又は請求項２に記載の内燃機関の燃焼室構造。
【発明の詳細な説明】
【０００１】
【発明の属する技術分野】
本発明は、内燃機関の燃焼室の構造に関する。
【０００２】
【従来の技術】
内燃機関における混合気の燃焼速度を改善するものとして、実開昭６０−１０２４２８公報に記載された内燃機関の燃焼室構造が知られている。
【０００３】
この内燃機関の燃焼室構造は、ピストン頂面周縁部とシリンダヘッド内壁面周縁部を相互に突出させて、ピストンが上死点近傍に位置するときに前記ピストン頂面周縁部とシリンダヘッド内壁面周縁部とが近接して、いわゆるスキッシュ流を発生させるスキュッシュエリアを形成した構成としている。
【０００４】
そして、燃焼室には、前記スキュッシュエリアから燃焼室中心へ向かうスキュッシュ流が衝突する位置よりも排気弁側のシリンダヘッド内壁面に点火栓が配置されている。
【０００５】
この内燃機関の燃焼室構造では、圧縮行程の末期において、シリンダヘッド内壁面周縁部とピストン頂面周縁部が相互に近接し、前記スキュッシュエリアが狭められるので、前記スキュッシュエリアに位置する空気や混合気がスキュッシュ流となって燃焼室中心部に向かうこととなる。
【０００６】
燃焼室中心部に向かったスキュッシュ流は、互いに衝突して乱れを生成し、この乱れにより、燃焼室中心部の燃焼が促進される。
次に、内燃機関が圧縮行程から膨張行程へ移行し、ピストンが下降し始めると、スキュッシュエリアが広がり、燃焼室内の混合気が吸い込まれる逆スキュッシュと呼ばれる現象が発生する。この逆スキュッシュにより混合気がスキュッシュエリアに吸い込まれたとき、点火栓の点火による火炎も前記逆スキュッシュにより燃焼室の中心部からスキュッシュエリアの近傍に達し、さらなるピストンの下降に伴ってスキュッシュエリアに吸い込まれ、スキュッシュエリア内の混合気を燃焼させる。
【０００７】
このように、前記内燃機関の燃焼室構造は、火炎伝播が遅い部分の燃焼を促進して火炎伝播の均一化、即ち各周縁部における燃焼終了時期の差を小さくしようとするものである。
【０００８】
【発明が解決しようとする課題】
ところで、燃焼室内の吸気用開口部近傍は、冷えた新気や混合気の流入によって温度が低いうえ、シリンダヘッド内壁面に吸気用開口部を開閉する吸気弁が存在するために充分なクリアランスのスキュッシュエリアを形成することができず、吸気用開口部近傍の燃焼を促進するのは困難である。そして、吸気用開口部近傍に位置する混合気は、点火栓の点火による火炎が到達するまえに自己発火し、ノッキングの発生を招く虞がある。
【０００９】
本発明は、前記問題点に鑑みてなされたものであり、吸気用開口部近傍のように火炎伝播が遅れる部分の燃焼を促進して火炎伝播の均一化を図り、ノッキングの発生を防止する技術を提供することを課題とする。
【００１０】
【課題を解決するための手段】
本発明は、前記課題を解決するために以下のような手段を採用した。すなわち、本発明にかかる内燃機関の燃焼室構造は、シリンダヘッドとシリンダとピストンとで囲まれて形成された燃焼室の中心を通る一方向の縦断面において該燃焼室の上壁面縦断面形状が略三角形状をなし、前記燃焼室上壁面の頂部に点火栓を配置するとともに、前記燃焼室上壁面における前記点火栓を間に挟んだ一方側に２つの吸気用開口部が設けられ、且つ他方側に２つの排気用開口部が設けられた内燃機関の燃焼室構造において、前記ピストン頂面の周縁部の全周に、前記燃焼室上壁面の周縁部との間にスキッシュエリアを形成する突出部が設けられ、前記燃焼室上壁面の周縁部と前記突出部との互いに対向する面が略平行に且つ前記燃焼室上壁面の頂部に向かって斜めに形成され、前記燃焼室上壁面の周縁部が前記燃焼室上壁面の中央部と略平坦に連なるよう形成され、前記突出部において前記吸気用開口部と対向する部位の内周面から外周面にかけて前記スキッシュエリアからの気流の衝突によって乱れが誘起される切り欠き部が設けられたことを特徴とする。
【００１１】
この内燃機関の燃焼室構造では、内燃機関の圧縮行程後半においてピストンが上死点近傍まで上昇すると、ピストン頂面の突出部と燃焼室上壁面の周縁部とが相対的に接近し、燃焼室周縁の略全周にわたって前記ピストン頂面の突出部と燃焼室上壁面の周縁部との間にスキッシュエリアが形成される。そして、ピストンがさらに上昇すると、前記スキッシュエリアが狭められるため、スキッシュエリアに位置していた空気や混合気等がスキッシュ流となって燃焼室の中央部へ進み、乱れを生成する。
【００１２】
一方、前記切り欠き部には、切り欠き部近傍のスキッシュエリアに位置していた空気や混合気等が流れ込み、前記切り欠き部内で互いに衝突して乱れを生成する。
尚、前記した切り欠き部は、前記ピストン頂面の突出部において吸気用開口部と対向する部位から前記ピストンの外周面に至るよう形成されるようにしてもよい。これは、圧縮行程の末期においてスキッシュエリアが狭められたときに、切り欠き部近傍のスキッシュエリアに位置していた空気や混合気等が該切り欠き部内に流れ込みやすくなり、以て切り欠き部近傍の乱れを強くすることができるからである。
【００１３】
次に、内燃機関が圧縮行程から膨張行程へ移行してピストンが下降し始めると、前記スキッシュエリアが広がり、該スキッシュエリアの圧力が低下する。スキッシュエリアの圧力が低下すると、燃焼室の中央部から前記スキッシュエリアへ向かって燃焼室上壁面と略平行に進む逆スキッシュ流が発生する。
ここで、本発明に係る燃焼室構造では、燃焼室上壁面の中央部と周縁部とが大きな段差を有さずに略平坦に連なるよう形成されており、更にピストン頂面の突出部と燃焼室上壁面の周縁部との互いに対向する面が略平行に且つ前記燃焼室上壁面の頂部に向かって斜めに形成されるため、スキッシュエリアが燃焼室上壁面から直線的に延在するよう形成されることになる。
従って、前記した逆スキッシュ流は、スキッシュエリアへ勢いよく吸い込まれることになり、それに伴って点火栓の点火による火炎がスキッシュエリアへ速やかに伝播されるようになる。
【００１４】
また、切り欠き部は、スキッシュエリアを形成する突出部を切り欠くことによって設けられるため、該切り欠き部内には、隣接するスキッシュエリアからの逆スキッシュ流が流入して衝突することにより気流の乱れが誘起されることになる。本発明に係る燃焼室構造では、上記したような切り欠き部が突出部における吸気用開口部と対向する部位に設けられるため、吸気用開口部において逆スキッシュ流による速やかな火炎伝播と逆スキッシュ流に誘起された気流の乱れによる燃焼促進が達成される。
【００１５】
ここで、ピストン頂面の突出部において、吸気用開口部と対向する部分の近傍に切り欠き部を設けるが、この切り欠き部は、前記吸気用開口部を開閉する吸気弁とピストンの接触を回避するバルブリセスを兼用するようにしてもよい。
【００１６】
前記内燃機関が燃焼室内に旋回流（スワール流）を発生させるスワール発生手段を備えている場合、切り欠き部は、スワール発生手段によって発生された旋回流を受け入れる方向に形成された溝で構成し、前記旋回流が前記切り欠き部内へ流れ込むようにしてもよく、あるいは、前記旋回流を受け入れない方向に形成された溝で構成し、前記旋回流が前記切り欠き部内へ流れ込まないようにしてもよい。
【００１７】
また、前記内燃機関が燃焼室内に縦渦流（タンブル流）を発生するタンブル発生手段を備えている場合、切り欠き部は、タンブル発生手段によって発生されたタンブル流を受け入れる方向に形成された溝で構成し、前記タンブル流が前記切り欠き部内へ流れ込むようにしてもよく、あるいは、前記タンブル流を受け入れない方向に形成された溝で構成し、前記タンブル流が前記切り欠き部内へ流れ込まないようにしてもよい。
【００１８】
【発明の実施の形態】
以下、本発明の内燃機関の燃焼室構造の実施の形態について図面に基づいて説明する。
【００１９】
〈実施の形態１〉
図１は、本発明にかかる内燃機関の燃焼室構造の第１の実施の形態を示す図である。
【００２０】
燃焼室１は、シリンダヘッド２の内壁面２０と、シリンダブロック３に形成されたシリンダの壁面３０と、前記シリンダ内に摺動自在に内装されたピストン４の頂面とから構成される。
【００２１】
前記シリンダヘッド２の内壁面２０は、燃焼室１の上壁面を形成し、一方向の縦断面形状が略三角形状をなす、いわゆる差し掛け屋根型（ペントルーフ型）に形成され、その頂部に点火栓５が配置される。そして、前記内壁面２０には、図２に示すように、点火栓５を間に挟んで一方側に吸気用の開口部７が２つ設けられ、他方側に排気用の開口部８が２つ設けられ、これらの開口部７、８を除いた周縁部に突出部６が形成されている。
【００２２】
ここで、図１に戻って、ピストン４の頂面の周縁部にも突出部４０が形成されている。このため、ピストン４頂面には、突出部４０で囲まれた凹部が形成される。そして、互いに対向する前記突出部６の下面と前記突出部４０の上面は、前記シリンダヘッド２の内壁面２０と略平行に形成されている。これら突出部６の下面と突出部４０の上面とは、内燃機関が圧縮行程末期にあるとき、ピストン４の上昇に伴って相互に近接し、斜め方向に延在するスキュッシュエリア９を形成する。
【００２３】
さらに、前記ピストン４の突出部４０の複数箇所には、図３に示すように、該突出部４０の内周面から外周面にかけて切り欠き部１０が形成される。この切り欠き部１０は、ピストン４が圧縮上死点近傍に上昇したとき、両隣のスキュッシュエリア９の空気や混合気が流れ込み、流れ込んだ空気や混合気が互いに衝突して乱れを生成するためのものである。そして、切り欠き部１０の深さは、ピストン４の外周側から内周側へ向かう程深くなっており、外周側より内周側においてより強い乱れが発生するようになっている。前記切り欠き部１０の位置は、火炎伝播が最も遅く、ノッキングが発生しやすいといわれる吸気用開口部７と対向する部分に設ける。以下、本実施の形態にかかる内燃機関の燃焼室構造の作用及び効果について述べる。
【００２４】
先ず、内燃機関の圧縮行程後半においてピストン４が上死点近傍へ上昇すると、図４に示すように、シリンダヘッド２の突出部６とピストン４の突出部４０とが相互に近接してスキュッシュエリア９を形成する。そして、ピストン４がさらに上昇すると、スキュッシュエリア９が狭められ、スキュッシュエリア９内の空気や混合気が燃焼室１の周囲から点火栓近傍へ向かうスキュッシュ流Ｓを生成する。
【００２５】
前記スキュッシュ流Ｓは、前記突出部６の下面及び前記突出部４０の上面に沿い、シリンダヘッド２の内壁面２０と略平行に進むので、前記シリンダヘッド２の内壁面２０等との接触によって減衰することなく点火栓５近傍へ流れる。
【００２６】
このようにして燃焼室１の周囲から点火栓５近傍へ流れたスキュッシュ流Ｓは、点火栓５近傍で互いに衝突して乱れを生成する。
また、前記スキュッシュエリア９に位置していた空気や混合気のうち、前記ピストン４の切り欠き部１０近傍のスキュッシュエリア９に位置する空気や混合気は、ピストン４の上昇に伴って前記切り欠き部１０へ流れ込む。例えば、図５に示すように、切り欠き部１０の両隣に位置するスキュッシュエリア９の空気や混合気は、一方のスキュッシュエリア９からの流れｔ１と他方のスキュッシュエリア９からの流れｔ２となって切り欠き部１０内に流れ込み、これらの流れｔ１、ｔ２が切り欠き部１０内で衝突して乱れを発生する。
【００２７】
次に、点火栓５が点火されると、前記スキュッシュ流Ｓの衝突により発生した乱れにより、点火栓近傍における燃焼が促進される。
そして、内燃機関が圧縮行程から膨張行程へ移行してピストン４が下降し始めると、混合気がスキッシュエリア９に吸い込まれる逆スキュッシュが発生する。この逆スキュッシュにより、混合気は、図６に示すように、燃焼室１の中央部からシリンダヘッド２の内壁面２０に沿って半径方向外側へ進む流れＲを生成する。このとき、スキュッシュエリア９を形成する突出部６下面及び突出部４０上面がシリンダヘッド２の内壁面２０と略平行に形成されるとともに、前記シリンダヘッド２の内壁面２０と突出部６との段差が比較的低く形成されるため、前記流れＲが前記段差との衝突によって減衰されることなく、勢い良くスキュッシュエリア９内に吸い込まれ、シリンダの壁面３０まで到達する。
【００２８】
その後、点火栓５の点火による火炎も、前記流れＲによってスキュッシュエリア９近傍へ進み、さらなるピストン４の下降に伴ってスキュッシュエリア９内に吸い込まれて勢い良くシリンダの壁面３０に到達する。これにより、スキュッシュエリア９内に吸い込まれていた混合気が速やかに燃焼させられる。
【００２９】
さらに、シリンダの壁面３０に到達した流れＲは、図７に示すように、シリンダの壁面３０に接触して方向を変え、シリンダの壁面３０に沿って周方向に進む流れＲ’となる。このとき、前記切り欠き部１０近傍のスキュッシュエリア９で生成された流れＲ’が切り欠き部１０に流れ込み、互いに衝突して乱れを生成する。この乱れは、先の圧縮行程で発生した乱れと相俟ってより強い乱れとなり、前記切り欠き部１０近傍の燃焼を促進する。この結果、火炎伝播が最も遅いといわれる吸気用開口部７近傍の燃焼が促進され、前記吸気用開口部７近傍の混合気が自己発火する前に燃焼される。
【００３０】
従って、本実施の形態にかかる内燃機関の燃焼室構造によれば、シリンダヘッド２の内壁面２０と略平行なスキュッシュエリア９を形成することにより、火炎がシリンダの壁面３０まで勢い良く到達し、シリンダ壁面３０近傍の燃焼が促進される。さらに、ピストン４に形成された切り欠き部１０により、シリンダ壁面３０へ勢い良く到達した混合気及び火炎が前記切り欠き部１０に流れ込み、前記切り欠き部１０内で互いに衝突して乱れを生成するので、充分なスキュッシュエリアを形成できない吸気用開口部７近傍の燃焼を促進することができる。この結果、燃焼室１内の火炎伝播が均一化され、ノッキングの発生が防止される。
【００３１】
尚、図８に示すように、切り欠き部が、前記吸気用開口部７を開閉する図示しない吸気弁と前記ピストン４との衝突を回避するバルブリセスを兼用するようにしてもよい。
〈実施の形態２〉
本発明にかかる内燃機関の燃焼室構造を、希薄燃焼式内燃機関に適用した例について図９〜図１１に基づいて説明する。ここでは、前述の実施の形態１と異なる構成についてのみ説明し、同様の構成については説明を省略する。
【００３２】
図９、１０において、希薄燃焼式内燃機関のシリンダヘッド２に形成された２つの吸気用開口部７の一方には真っ直ぐな流路を有するストレートポート１７が接続され、他方の吸気用開口部７には燃焼室１の接線方向に沿った流路を有するスワールポート１１が接続される。
【００３３】
そして、前記ストレートポート１７内には、ポート内の流路を開閉するスワールコントロールバルブＳＣＶが設けられる。前記スワールコントロールバルブＳＣＶが閉じられると、燃焼室１には、スワールポート１１からのみ新気が導入されることになり、導入された新気がスワール流ＳＷを生成する。
【００３４】
このように、前記スワールポート１１と前記スワールコントロールバルブＳＣＶは、本発明にかかるスワール発生手段を実現する。次に、ピストン４頂面の周縁部に形成された突出部４０には、図１１に示すように、前記スワール流ＳＷを受け入れる方向に形成された溝で構成される切り欠き部１２が設けられ、スワール流ＳＷの一部が前記切り欠き部１２へ流れ込むようになっている。この切り欠き部１２は、前述の実施の形態１と同様に、ピストン４頂面において、前記吸気用開口部７と対向する部分に形成される。
【００３５】
その他の構成は、前述の実施の形態１と同様である。
以下、本実施の形態の作用及び効果について述べる。
【００３６】
先ず、内燃機関が圧縮行程にあるとき、スワールコントロールバルブＳＣＶが閉じられるとともに、図示しない吸気弁が吸気用開口部７を開口すると、スワールポート１１のみから燃焼室１内へ新気が流れ込み、スワール流ＳＷが生成される。そして、圧縮行程後半においてピストン４が上死点近傍へ上昇すると、スワール流ＳＷの一部が前記切り欠き部１２内に流れ込むとともに、切り欠き部１２近傍のスキッシュエリア９から空気や混合気が流れ込み、これらが衝突して乱れを生成する。
【００３７】
続いて、内燃機関が圧縮行程から膨張行程へ移行し、ピストン４が下降し始めると、混合気がスキッシュエリア９に吸い込まれる逆スキュッシュが発生する。この逆スキュッシュにより、混合気は、燃焼室１の中央部からシリンダヘッド２の内壁面２０に沿って半径方向外側へ進み、勢い良くスキュッシュエリア９に吸い込まれる。そして、スキュッシュエリア９に吸い込まれた混合気は、シリンダ壁面３０に勢い良く到達する。
【００３８】
その後、点火栓５の点火による火炎も、前記混合気と同様にスキュッシュエリア９近傍へ進み、さらなるピストン４の下降に伴ってスキュッシュエリア９内に吸い込まれて勢い良くシリンダの壁面３０に到達する。これにより、スキュッシュエリア９内に吸い込まれていた混合気が速やかに燃焼させられる。
【００３９】
さらに、シリンダの壁面３０に到達した混合気及び火炎の流れは、シリンダの壁面３０に接触して方向を変え、シリンダの壁面３０に沿って周方向に進む。そして、前記混合気の流れは、切り欠き部１０に流れ込み、先の圧縮行程で生成された乱れと相俟ってより強い乱れを生成する。これにより、スキュッシュエリアの形成により火炎伝播が最も遅くなる吸気用開口部７近傍の燃焼が促進され、前記吸気用開口部７近傍の混合気が自己発火するまえに燃焼される。尚、ピストン４の切り欠き部の形状は、図１２に示すように、スワール流を受け入れない方向に形成された溝１５で構成するようにしてもよい。この場合、スワール流が前記切り欠き部１５に流れ込まないので、スワール流を減衰することなく、前述の実施の形態１と同様の効果を得ることができる。
〈実施の形態３〉
本発明にかかる内燃機関の燃焼室構造を、縦渦流（タンブル流）を利用した希薄燃焼式内燃機関に適用した例について図１３〜図１５に基づいて説明する。ここでは、前述の実施の形態１と異なる構成についてのみ説明し、同様の構成については説明を省略する。
【００４０】
図１３において、希薄燃焼式内燃機関のシリンダヘッド２に形成された２つの吸気用開口部７には、燃焼室１内に縦渦流を生成するタンブルポート１４が接続される。次に、ピストン４頂面の周縁部に形成された突出部４０には、図１４に示すように、前記タンブル流を受け入れる方向に形成された溝で構成される切り欠き部１５が設けられ、タンブル流の一部が前記切り欠き部１５へ流れ込むようになっている。この切り欠き部１５は、前述の実施の形態１と同様に、ピストン４頂面において、前記吸気用開口部７と対向する部分に形成される。
【００４１】
その他の構成は、前述の実施の形態１と同様である。
以下、本実施の形態の作用及び効果について述べる。
【００４２】
先ず、内燃機関が圧縮行程にあるとき、図示しない吸気弁が吸気用開口部７を開口すると、タンブルポート１４からの新気が燃焼室１内へ流れ込み、タンブル流を生成する。そして、圧縮行程後半においてピストン４が上死点近傍へ上昇すると、タンブル流の一部が前記切り欠き部１５内に流れ込むとともに、切り欠き部１２近傍のスキッシュエリア９から空気や混合気が流れ込み、これらが互いに衝突して乱れを生成する。
【００４３】
続いて、内燃機関が圧縮行程から膨張行程へ移行し、ピストン４が下降し始めると、混合気がスキッシュエリア９に吸い込まれる逆スキュッシュが発生する。この逆スキュッシュにより、混合気は、燃焼室１の中央部からシリンダヘッド２の内壁面２０に沿って半径方向外側へ進み、勢い良くスキュッシュエリア９に吸い込まれる。そして、スキュッシュエリア９に吸い込まれた混合気は、シリンダの壁面３０に勢い良く到達する。
【００４４】
次に、点火栓５の点火による火炎が前記混合気と同様にスキュッシュエリア９近傍へ進み、さらなるピストン４の下降に伴ってスキュッシュエリア９内に吸い込まれ、シリンダの壁面３０に勢い良く到達する。これにより、スキュッシュエリア９内に吸い込まれていた混合気が速やかに燃焼させられる。
【００４５】
さらに、シリンダの壁面３０に到達した混合気や火炎の流れは、シリンダの壁面３０に接触して方向を変え、シリンダの壁面３０に沿って周方向に進む。そして、前記混合気や火炎の流れは、切り欠き部１５に流れ込み、先の圧縮行程で生成された乱れと相俟ってより強い乱れを生成する。この乱れにより、火炎伝播が最も遅いといわれる吸気用開口部７近傍の燃焼が促進され、前記吸気用開口部７近傍の混合気が自己発火する前に燃焼される。尚、ピストン４の切り欠き部の形状は、図１５に示すように、タンブル流を受け入れない方向に形成された溝１６で構成するようにしてもよい。この場合、タンブル流が前記切り欠き部１６に流れ込まないので、タンブル流を減衰することなく、前述の実施の形態１と同様の効果を得ることができる。
【００４６】
【発明の効果】
本発明にかかる内燃機関の燃焼室構造によれば、内燃機関の圧縮行程末期において、スキュッシュエリアに位置する空気や混合気等が燃焼室上壁面と略平行に進むスキュッシュ流を生成し、このスキュッシュ流が点火栓近傍において互いに衝突して乱れを生成するので、この乱れにより、点火栓近傍における燃焼が促進される。
【００４７】
また、切り欠き部近傍のスキュッシュエリアに位置する空気や混合気は、前記切り欠き部内に流れ込み、互いに衝突して乱れを生成する。
次に、内燃機関の膨張行程初期において、前記スキュッシュエリアが広がると、燃焼室中央部から前記燃焼室上壁面と略平行に進む逆スキュッシュ流が発生し、この逆スキッシュ流は、スキュッシュエリア内へ勢い良く吸い込まれて、スキッシュエリア内のシリンダ壁面まで到達し、シリンダ壁面に沿って周方向へ進む流れに変わるが、このとき、切り欠き部周辺のスキュッシュエリアで方向を変えた逆スキュッシュ流が前記切り欠き部内へ流れ込み、互いに衝突して乱れを生成する。この乱れは、先の圧縮行程で生成された乱れと相俟ってより強い乱れとなるので、この乱れにより、切り欠き部周辺に位置する混合気、すなわち吸気用開口部近傍に位置する混合気の燃焼が促進され、燃焼室における火炎伝播の均一化を図ることができる。
【００４８】
この結果、火炎伝播が最も遅いといわれる吸気用開口部近傍に位置する混合気が自己発火する前に燃焼され、ノッキングの発生を抑制することができる。
【図面の簡単な説明】
【図１】実施の形態１における燃焼室の構造を示す断面図
【図２】シリンダヘッド内壁面の構成を示す平面図
【図３】ピストンの構成を示す平面図
【図４】スキュッシュ流の流れを説明する図（１）
【図５】スキュッシュ流の流れを説明する図（２）
【図６】逆スキュッシュ流の流れを説明する図（１）
【図７】逆スキュッシュ流の流れを説明する図（２）
【図８】実施の形態１における切り欠き部の他の実施例を示す図
【図９】実施の形態２における燃焼室の構造を示す断面図
【図１０】シリンダヘッド内壁面の構成を示す平面図
【図１１】ピストンの構成を示す平面図
【図１２】実施の形態２における切り欠き部の他の実施例を示す図
【図１３】実施の形態３における燃焼室の構造を示す断面図
【図１４】ピストンの構成を示す平面図
【図１５】実施の形態３における切り欠き部の他の実施例を示す図
【図１】
0003746344.tif 000002
【図２】
0003746344.tif 000003
【図３】
0003746344.tif 000004
【図４】
0003746344.tif 000005
【図５】
0003746344.tif 000006
【図６】
0003746344.tif 000007
【図７】
0003746344.tif 000008
【図８】
0003746344.tif 000009
【図９】
0003746344.tif 000010
【図１０】
0003746344.tif 000011
【図１１】
0003746344.tif 000012
【図１２】
0003746344.tif 000013
【図１３】
0003746344.tif 000014
【図１４】
0003746344.tif 000015
【図１５】
0003746344.tif 000016